(57)【要約】  本発明の実施例はマルチモード端末情報処理方法、マルチモード端末及びアクセスネットワーク装置を開示し、マルチモード端末とＨＲＰＤアクセスネットワークはＨＲＰＤアクセスネットワークが開始したセッションキープアライブメッセージを閉じることを協議して確定し、マルチモード端末がＨＲＰＤネットワークからＬＴＥネットワークに切り替えられた後、ＨＲＰＤアクセスネットワークは、前記マルチモード端末にセッションキープアライブ要求メッセージを送信しないこと、及び／又は、マルチモード端末とＨＲＰＤアクセスネットワークは前記マルチモード端末が開始したセッションキープアライブメッセージを閉じることを協議して確定し、前記マルチモード端末がＨＲＰＤネットワークからＬＴＥネットワークに切り替えられた後、前記マルチモード端末は、前記ＨＲＰＤネットワークにセッションキープアライブ要求メッセージを送信しない。マルチモード端末は、ＨＲＰＤアクセスネットワークからＨＲＰＤネットワーク及び／又はＬＴＥネットワークの専用優先度を知り、専用の優先度のイネーブル条件を満たす場合、前記専用優先度に基づいてアイドル状態のネットワーク再選を行う。【選択図】図４
2015515815.tif 000002
【特許請求の範囲】
【請求項１】
マルチモード端末は高速パケットデータ（ＨＲＰＤ）アクセスネットワークからＨＲＰＤネットワーク及び／又はロングタームエボリューション（ＬＴＥ）ネットワークの専用優先度を知り、専用の優先度のイネーブル条件を満たす場合、前記マルチモード端末は、前記専用優先度に基づいてアイドル状態のネットワーク再選を行うことを含むマルチモード端末情報処理方法。
【請求項２】
前記マルチモード端末がＨＲＰＤアクセスネットワークから前記専用優先度を知ることは、前記マルチモード端末とＨＲＰＤアクセスネットワークとが前記専用優先度を協議確定し又は前記ＨＲＰＤアクセスネットワークが前記マルチモード端末に専用優先度を割り当てることを含む請求項１に記載の方法。
【請求項３】
前記ＨＲＰＤアクセスネットワークが送信した専用優先度アクティベーション指示を受信した後、前記マルチモード端末が専用優先度イネーブル条件を満たすと確定することをさらに含む請求項１に記載の方法。
【請求項４】
前記ＨＲＰＤアクセスネットワークが送信した専用優先度閾値を受信した後、前記マルチモード端末が専用優先度イネーブル条件を満たすと確定することをさらに含む請求項１に記載の方法。
【請求項５】
前記マルチモード端末が前記専用優先度に基づいてアイドル状態ネットワーク再選を行うことは、前記マルチモード端末が、前記専用優先度が前記ＨＲＰＤアクセスネットワークの送信した専用優先度閾値の以上であると判断した後、アイドル状態ネットワーク再選を行うことを含む請求項１、２、３又は４に記載の方法。
【請求項６】
前記ＨＲＰＤアクセスネットワークが前記専用優先度アクティベーション指示を送信するトリガー条件は、ネットワークの負荷総量又は負荷増加量又は負荷増加速度が予め設定された閾値を超え、又はＨＲＰＤアクセスネットワークが共通優先度を提供せず、又はＨＲＰＤアクセスネットワークが、前記マルチモード端末が専用優先度をサポートするマルチモード端末であることを判断したことであることを含む請求項５に記載の方法。
【請求項７】
前記ＨＲＰＤアクセスネットワークが前記優先度閾値を送信するトリガー条件は、ネットワークの負荷総量又は負荷増加量又は負荷増加速度が異なるレベルの予め設定された閾値を超えたとき、ＨＲＰＤアクセスネットワークが対応するレベルの専用優先度閾値を提供することであることを含む請求項６に記載の方法。
【請求項８】
前記ＨＲＰＤアクセスネットワークが送信したネットワーク負荷情報を受信した後、前記マルチモード端末が前記負荷情報に基づいて専用優先度イネーブル条件を満たすかどうかを判断することをさらに含む請求項１又は２に記載の方法。
【請求項９】
前記ＨＲＰＤアクセスネットワークが送信したランダム再選確率情報を受信した後、前記マルチモード端末が専用優先度イネーブル条件を満たすと確定することをさらに含む請求項１に記載の方法。
【請求項１０】
前記マルチモード端末が、前記ＨＲＰＤアクセスネットワークが送信した、専用優先度アクティベーション指示、専用優先度閾値、ランダム再選確率情報のうちの少なくとも２つを受信した後、専用優先度イネーブル条件を満たすことを確定することをさらに含む請求項１に記載の方法。
【請求項１１】
前記マルチモード端末が前記ＨＲＰＤアクセスネットワークから受信した情報がランダム再選確率情報を含む時、前記マルチモード端末が前記専用優先度に基づいてアイドル状態ネットワーク再選を行うことは、前記ランダム再選確率情報に基づいて前記ランダム再選確率情報が指示する、ＬＴＥを再選する条件を満たすと判断した後、アイドル状態ネットワーク再選を行うことを含む、請求項９又は１０に記載の方法。
【請求項１２】
前記ランダム再選確率情報は少なくとも、専用優先度に基づくランダム再選確率、ＬＴＥ周波数に基づくランダム再選確率のうちの少なくとも１つを含み、そのうち、専用優先度に基づくランダム再選確率は各専用優先度はＬＴＥを再選する確率を表し、ＬＴＥ周波数に基づくランダム再選確率は端末が異なるＬＴＥ周波数を再選する確率を表し、
前記ランダム再選確率情報が指示する、ＬＴＥを再選する条件は、前記専用優先度に基づくランダム再選確率が指示する、ＬＴＥを再選する条件を満たすこと、前記ＬＴＥ周波数に基づくランダム再選確率が指示する、ＬＴＥ及び／又はＬＴＥ周波数を再選する条件を満たすことのうちの一つ又は組み合せを含む請求項１１に記載の方法。
【請求項１３】
前記マルチモード端末が前記ＨＲＰＤアクセスネットワークから受信した情報が専用優先度アクティベーション指示、専用優先度閾値、ランダム再選確率情報のうちの少なくとも１つを含む時、前記マルチモード端末が前記専用優先度に基づいてアイドル状態ネットワーク再選を行う方法は、前記マルチモード端末が、下記操作ステップ、つまり、前記専用優先度アクティベーション指示に基づいてアクティベーションされた専用優先度を標識するステップ、前記専用優先度が前記専用優先度閾値の以上であると判断するステップ、前記ランダム再選確率情報に基づいて前記ランダム再選確率情報が指示する、ＬＴＥを再選する条件を満たすと判断するステップにおいて、受信した情報に相応する操作ステップを実行した後、アイドル状態ネットワーク再選を行うことを含む請求項１又は１０に記載の方法。
【請求項１４】
マルチモード端末と高速パケットデータ（ＨＲＰＤ）アクセスネットワークが、前記ＨＲＰＤアクセスネットワークが開始したセッションキープアライブメッセージを閉じることを協議して確定し、前記マルチモード端末がＨＲＰＤネットワークからロングタームエボリューション（ＬＴＥ）ネットワークに切り替えられた後、前記ＨＲＰＤアクセスネットワークは、前記マルチモード端末にセッションキープアライブ要求メッセージを送信しないこと、及び／又は、
マルチモード端末と高速パケットデータ（ＨＲＰＤ）アクセスネットワークが、前記マルチモード端末が開始したセッションキープアライブメッセージを閉じることを協議して確定し、前記マルチモード端末がＨＲＰＤネットワークからロングタームエボリューション（ＬＴＥ）ネットワークに切り替えられた後、前記マルチモード端末が、前記ＨＲＰＤネットワークにセッションキープアライブ要求メッセージを送信しないことを含むマルチモード端末情報処理方法。
【請求項１５】
高速パケットデータ（ＨＲＰＤ）アクセスネットワークからＨＲＰＤネットワーク及び／又はロングタームエボリューション（ＬＴＥ）ネットワークの専用優先度を知るように設置される専用優先度取得モジュールと、
専用の優先度のイネーブル条件を満たす場合、前記専用優先度に基づいてアイドル状態のネットワーク再選を行うように設置されるネットワーク再選モジュールとを含むマルチモード端末。
【請求項１６】
前記専用優先度取得モジュールは、ＨＲＰＤアクセスネットワークとともに前記専用優先度を協議して確定し又は前記ＨＲＰＤアクセスネットワークから前記ＨＲＰＤアクセスネットワークが前記マルチモード端末に割り当てた専用優先度を受信するように更に設置される請求項１５に記載のマルチモード端末。
【請求項１７】
前記ネットワーク再選モジュールは、前記ＨＲＰＤアクセスネットワークが送信した専用優先度アクティベーション指示を受信した後、専用優先度イネーブル条件を満たすことを確定するように更に設置される請求項１５に記載のマルチモード端末。
【請求項１８】
前記ネットワーク再選モジュールは、前記ＨＲＰＤアクセスネットワークが送信した専用優先度閾値を受信した後、専用優先度イネーブル条件を満たすことを確定するように更に設置される請求項１５に記載のマルチモード端末。
【請求項１９】
前記ネットワーク再選モジュールは、前記専用優先度が、前記ＨＲＰＤアクセスネットワークが送信した専用優先度閾値以上であると判断した後、アイドル状態ネットワーク再選を行うように更に設置される請求項１５、１６、１７又は１８に記載のマルチモード端末。
【請求項２０】
前記ネットワーク再選モジュールは、前記ＨＲＰＤアクセスネットワークが送信したネットワーク負荷情報を受信した後、前記負荷情報に基づいて専用優先度イネーブル条件を満たすかどうかを判断するように更に設置される請求項１５に記載のマルチモード端末。
【請求項２１】
前記ネットワーク再選モジュールは、前記ＨＲＰＤアクセスネットワークが送信したランダム再選確率情報を受信した後、専用優先度イネーブル条件を満たすことを確定するように更に設置される請求項１５に記載のマルチモード端末。
【請求項２２】
前記ネットワーク再選モジュールは、前記ＨＲＰＤアクセスネットワークが送信した、専用優先度アクティベーション指示、専用優先度閾値、ランダム再選確率情報のうちの少なくとも二つを受信した後、専用優先度イネーブル条件を満たすことを確定するように更に設置される請求項１５に記載のマルチモード端末。
【請求項２３】
前記ネットワーク再選モジュールは、前記ＨＲＰＤアクセスネットワークから受信した情報がランダム再選確率情報を含む時、前記ランダム再選確率情報に基づいて前記ランダム再選確率情報が指示する、ＬＴＥを再選する条件を満たすと判断した後、アイドル状態ネットワーク再選を行うように設置される請求項２１又は２２に記載のマルチモード端末。
【請求項２４】
前記ランダム再選確率情報が指示する、ＬＴＥを再選する条件は、前記専用優先度に基づくランダム再選確率が指示する、ＬＴＥを再選する条件を満たすこと、前記ＬＴＥ周波数に基づくランダム再選確率が指示する、ＬＴＥ及び／又はＬＴＥ周波数を再選する条件を満たすことのうちの一つ又は組み合せを含み、
前記ランダム再選確率情報は少なくとも、専用優先度に基づくランダム再選確率、ＬＴＥ周波数に基づくランダム再選確率のうちの少なくとも一つを含み、そのうち、専用優先度に基づくランダム再選確率は各専用優先度がＬＴＥを再選する確率を表し、ＬＴＥ周波数に基づくランダム再選確率は端末が異なるＬＴＥ周波数を再選する確率を表す請求項２３に記載のマルチモード端末。
【請求項２５】
前記ネットワーク再選モジュールは、前記ＨＲＰＤアクセスネットワークから受信した情報が専用優先度アクティベーション指示、専用優先度閾値、ランダム再選確率情報のうちの少なくとも一つを含む時、前記専用優先度に基づいてアイドル状態ネットワーク再選を行う方法は、下記操作ステップ、つまり、前記専用優先度アクティベーション指示に基づいてアクティベーションされた専用優先度を標識するステップ、前記専用優先度が前記専用優先度閾値の以上であると判断するステップ、前記ランダム再選確率情報に基づいて前記ランダム再選確率情報が指示する、ＬＴＥを再選する条件を満たすと判断するステップにおいて、受信した情報に相応する操作ステップを実行した後、アイドル状態ネットワーク再選を行うことを含むように設置される請求項１５又は２２に記載のマルチモード端末。
【請求項２６】
高速パケットデータ（ＨＲＰＤ）ネットワーク及び／又はロングタームエボリューション（ＬＴＥ）ネットワークの専用優先度を設定するように設置されるネットワーク専用優先度設定モジュールを含む高速パケットデータアクセスネットワーク装置。
【請求項２７】
前記ネットワーク専用優先度設定モジュールは、ネットワークの負荷総量又は負荷増加量又は負荷増加速度が予め設定された閾値を超えた後、マルチモード端末に専用優先度アクティベーション指示を送信し、又はさらに前記マルチモード端末に専用優先度イネーブル条件を満たすことを判断するためのネットワーク負荷情報を送信することに用いられるように更に設置される請求項２６に記載の高速パケットデータアクセスネットワーク装置。
【請求項２８】
前記ネットワーク専用優先度設定モジュールは、高速パケットデータアクセスネットワークが共通優先度を提供しない時、マルチモード端末に専用優先度アクティベーション指示を送信し、又はさらに専用優先度をサポートすることができる端末に専用優先度アクティベーション指示を送信することに用いられるように更に設置される請求項２６に記載の高速パケットデータアクセスネットワーク装置。
【請求項２９】
前記ネットワーク専用優先度設定モジュールは、ネットワークの負荷総量又は負荷増加量又は負荷増加速度が異なるレベルの予め設定された閾値を超えた時、マルチモード端末に異なる対応レベルの専用優先度閾値を送信するように更に設置される請求項２６、２７又は２８に記載の高速パケットデータアクセスネットワーク装置。
【請求項３０】
前記ネットワーク専用優先度設定モジュールは、マルチモード端末にランダム再選確率情報を送信するように更に設置され、前記ランダム再選確率情報は少なくとも、専用優先度に基づくランダム再選確率、ＬＴＥ周波数に基づくランダム再選確率のうちの少なくとも一つを含み、そのうち、専用優先度に基づくランダム再選確率は各専用優先度がＬＴＥを再選する確率を表し、ＬＴＥ周波数に基づくランダム再選確率は端末が異なるＬＴＥ周波数を再選する確率を表す。請求項２６、２７又は２８に記載の高速パケットデータアクセスネットワーク装置。
【請求項３１】
前記ネットワーク専用優先度設定モジュールが前記マルチモード端末にランダム再選確率情報を送信する条件は、ＨＲＰＤ及び／又はＬＴＥネットワークの負荷総量、ＨＲＰＤ及び／又はＬＴＥネットワークの負荷増加量、ＨＲＰＤ及び／又はＬＴＥネットワークの負荷増加速度が異なるレベルのデフォルト閾値を超えることのうち少なくとも１つを含む請求項３０に記載の高速パケットデータアクセスネットワーク装置。
【発明の詳細な説明】
【技術分野】
【０００１】
本発明は通信分野に関し、特にマルチモード端末情報処理方法、マルチモード端末及びアクセスネットワーク装置に関する。
【背景技術】
【０００２】
符号分割多元接続（ＣＤＭＡ、Ｃｏｄｅ  Ｄｉｖｉｓｉｏｎ  Ｍｕｌｔｉｐｌｅ  Ａｃｃｅｓｓ）ネットワークの後続エボリューション中において、ロングタームエボリューション（ＬＴＥ、Ｌｏｎｇ  Ｔｅｒｍ  Ｅｖｏｌｕｔｉｏｎ）ネットワークとの相互運用はネットワークの発展の一つの動向である。商用されたＣＤＭＡネットワークがＬＴＥネットワークにエボリューションすることは、一つ簡単な代替過程ではなく、非常に長い共存期間を有し、この共存期間中において、２種のワイアレスネットワークの相互接続は不可欠である。
【０００３】
エボリューションしている高速パケットデータ（ＨＲＰＤ、Ｈｉｇｈ  Ｒａｔｅ  Ｐａｃｋｅｔ  Ｄａｔａ）−ＬＴＥ相互運用機能の一つに対して、つまりアクセス端末のＨＲＰＤからＬＴＥへのアイドル切り替えをサポートすることであり、該機能をサポートするために、ＨＲＰＤシステム中に一連のプロトコル処理を定義したが、２つの面の問題は配慮しなければならない。
【０００４】
１つ目は、端末がＬＴＥネットワークにアイドル切り替えられた後、ＨＲＰＤアクセスネットワーク及び端末は、セッションによりタイマーが該端末のＨＲＰＤネットワーク下でのエアインタフェースセッション情報を継続メインテナンスするようにメインテナンスし、これは、ＨＲＰＤエアインタフェースセッション協議に比較的時間がかかり、ある期間内にエアインタフェースセッション情報を継続メインテナンスし、それにより端末がＨＲＰＤに素早く切り替えられる時さらにエアインタフェースセッション協議を行うことによる切り替え性能及びユーザ体験に影響することを避けることができるためであり、ＨＲＰＤエアインタフェースセッションのメインテナンス過程中において、端末とＨＲＰＤアクセスネットワークはそれぞれ相手端にセッションキープアライブメッセージを送信し相手端のレスポンスメッセージをウェイトし、ところが、端末がすでにＬＴＥネットワークに付着され且つＨＲＰＤアクセスネットワークとＬＴＥの移動性管理エンティティ（ＭＭＥ）の間にトンネルインターフェースが存在しない場合、ＨＲＰＤアクセスネットワークは端末がアイドルからＬＴＥネットワークに切り替えられた事実を知ることができないため、依然として端末にエアインタフェースセッションメインテナンスメッセージを送信し、これは、ＨＲＰＤネットワークのページングチャネル数を無駄にし、それによりＨＲＰＤネットワーク性能に影響する。
【０００５】
２つ目は、優先度のアイドル再選方法に基づいて端末は常時に高優先度ネットワークに傾向し、従来のアイドル再選方法に基づいて、  ＨＲＰＤオーバーヘッドメッセージ中に共通優先度を放送すると、端末は常時に共通優先度に基づいて再選を行い、該優先度はすべての端末に公用され、ところが、一般的には、オペレータはＬＴＥネットワーク優先度がＨＲＰＤネットワークより高いように設置し、このように、あらゆるアイドル状態端末は常時にＬＴＥネットワークに傾向し、  ＬＴＥとＨＲＰＤネットワークの長期共存のため、オペレータは所定の戦略に基づいてアイドル状態端末の付着ネットワーク選択をコントロールし、それによりユーザのバランス分布及びネットワークの効果的なオペレーションを達成し、一方のネットワーク負荷が重く、他方のネットワークが空置される状況を避けることを希望する。
【発明の概要】
【発明が解決しようとする課題】
【０００６】
本発明の実施例はマルチモード端末情報処理方法、マルチモード端末及びアクセスネットワーク装置を提供し、マルチモード端末がＨＲＰＤからＬＴＥにアイドル切り替えられた後のＨＲＰＤアクセスネットワークと端末との間の通信支障問題及びネットワーク選択の不均衡の問題を解決する。
【課題を解決するための手段】
【０００７】
本発明の実施例はマルチモード端末情報処理方法を提供し、マルチモード端末と高速パケットデータ（ＨＲＰＤ）アクセスネットワークは前記ＨＲＰＤアクセスネットワークが開始したセッションキープアライブメッセージを閉じることを協議して確定し、前記マルチモード端末がＨＲＰＤネットワークからロングタームエボリューション（ＬＴＥ）ネットワークに切り替えられた後、前記ＨＲＰＤアクセスネットワークは、マルチモード端末にセッションキープアライブ要求メッセージを送信しないこと、及び／又は、マルチモード端末と高速パケットデータ（ＨＲＰＤ）アクセスネットワークは前記マルチモード端末が開始したセッションキープアライブメッセージを閉じることを協議して確定し、前記マルチモード端末がＨＲＰＤネットワークからロングタームエボリューション（ＬＴＥ）ネットワークに切り替えられた後、前記マルチモード端末は、前記ＨＲＰＤネットワークにセッションキープアライブ要求メッセージを送信しないことを含む。
【０００８】
本発明は別のマルチモード端末情報処理方法を更に提供しており、マルチモード端末がＨＲＰＤアクセスネットワークから高速パケットデータ（ＨＲＰＤ）ネットワーク及び／又はロングタームエボリューション（ＬＴＥ）ネットワークの専用優先度を知り、専用の優先度のイネーブル条件を満たす場合、前記マルチモード端末が、前記専用優先度に基づいてアイドル状態のネットワーク再選を行うことを含む。
【０００９】
上記方法は、
前記マルチモード端末がＨＲＰＤアクセスネットワークから前記専用優先度を知る方式は、前記マルチモード端末とＨＲＰＤアクセスネットワークが前記専用優先度を協議確定し又は前記ＨＲＰＤアクセスネットワークが前記マルチモード端末に専用優先度を割り当てることを更に特徴とする。
【００１０】
上記方法は、
前記専用優先度イネーブル条件を満たす判定方法は、前記マルチモード端末は前記ＨＲＰＤアクセスネットワークが送信した専用優先度アクティベーション指示を受信した後、専用優先度イネーブル条件を満たすと確定することを更に特徴とする。
【００１１】
上記方法は、
前記専用優先度イネーブル条件を満たす判定方法は、前記マルチモード端末は前記ＨＲＰＤアクセスネットワークが送信した専用優先度閾値を受信した後、専用優先度イネーブル条件を満たすと確定することを更に特徴とする。
【００１２】
上記方法、
前記マルチモード端末が前記専用優先度に基づいてアイドル状態ネットワーク再選を行うことは前記マルチモード端末が、前記専用優先度が前記ＨＲＰＤアクセスネットワークの送信した専用優先度閾値の以上であると判断した後、アイドル状態ネットワーク再選を行うことを含むことを更に特徴とする。
【００１３】
上記方法は、
前記ＨＲＰＤアクセスネットワークが前記専用優先度アクティベーション指示を送信するトリガー条件は、ネットワークの負荷総量又は負荷増加量又は負荷増加速度が予め設定された閾値を超え、又はＨＲＰＤアクセスネットワークが共通優先度を提供せず、又はＨＲＰＤアクセスネットワークが、前記マルチモード端末が専用優先度をサポートマルチモード端末であることを判断したことであることを更に特徴とする。
【００１４】
上記方法は、
前記ＨＲＰＤアクセスネットワークが前記優先度閾値を送信するトリガー条件は、ネットワークの負荷総量又は負荷増加量又は負荷増加速度が異なるレベルの予め設定された閾値を超えることであると、ＨＲＰＤアクセスネットワークは対応するレベルの専用優先度閾値を提供することを更に特徴とする。
【００１５】
上記方法は、
前記専用優先度イネーブル条件を満たす判定方法は、前記マルチモード端末は、前記ＨＲＰＤアクセスネットワークが送信したネットワーク負荷情報を受信した後、前記負荷情報に基づいて専用優先度イネーブル条件を満たすかどうかを判断することを更に特徴とする。
【００１６】
上記方法は、
前記専用優先度イネーブル条件を満たす判定方法は、前記マルチモード端末は、前記ＨＲＰＤアクセスネットワークが送信したランダム再選確率情報を受信した後、専用優先度イネーブル条件を満たすと確定することを更に特徴とする。
【００１７】
上記方法は、
前記専用優先度イネーブル条件を満たす判定方法は、前記マルチモード端末は前記ＨＲＰＤアクセスネットワークが送信した、専用優先度アクティベーション指示、専用優先度閾値、ランダム再選確率情報のうちの少なくとも２つを受信した後、専用優先度イネーブル条件を満たすと確定することを更に特徴とする。
【００１８】
上記方法は、
前記マルチモード端末が前記ＨＲＰＤアクセスネットワークから受信した情報はランダム再選確率情報を含む時、前記マルチモード端末が前記専用優先度に基づいてアイドル状態ネットワーク再選を行う方法は、前記ランダム再選確率情報に基づいて前記ランダム再選確率情報が指示する、ＬＴＥを再選する条件を満たすと判断した後、アイドル状態ネットワーク再選を行うことを含むことを更に特徴とする。
【００１９】
上記方法は、
前記ランダム再選確率情報は少なくとも、専用優先度に基づくランダム再選確率、ＬＴＥ周波数に基づくランダム再選確率のうちの少なくとも一つを含み、そのうち、専用優先度に基づくランダム再選確率は各専用優先度がＬＴＥを再選する確率を表し、ＬＴＥ周波数に基づくランダム再選確率は端末が異なるＬＴＥ周波数を再選する確率を表し、
前記ランダム再選確率情報が指示する、ＬＴＥを再選する条件は、前記専用優先度に基づくランダム再選確率が指示する、ＬＴＥを再選する条件を満たすこと、前記ＬＴＥ周波数に基づくランダム再選確率が指示する、ＬＴＥ及び／又はＬＴＥ周波数を再選する条件を満たすことのうちの一つ又は組み合せを含むことを更に特徴とする。
【００２０】
上記方法は、
前記マルチモード端末が前記ＨＲＰＤアクセスネットワークから受信した情報は専用優先度アクティベーション指示、専用優先度閾値、ランダム再選確率情報のうちの少なくとも一つを含む時、前記マルチモード端末が前記専用優先度に基づいてアイドル状態ネットワーク再選を行う方法は、前記マルチモード端末は、下記操作ステップ、つまり、前記専用優先度アクティベーション指示に基づいてアクティベーションされた専用優先度を標識するステップ、前記専用優先度が前記専用優先度閾値の以上であると判断するステップ、前記ランダム再選確率情報に基づいて前記ランダム再選確率情報が指示する、ＬＴＥを再選する条件を満たすと判断するステップにおいて、受信した情報に相応する操作ステップを実行した後、アイドル状態ネットワーク再選を行うことを含むことを更に特徴とする。
【００２１】
本発明の実施例はマルチモード端末を提供し、専用優先度取得モジュール及びネットワーク再選モジュールを含み、
前記専用優先度取得モジュールは、ＨＲＰＤアクセスネットワークから高速パケットデータ（ＨＲＰＤ）ネットワーク及び／又はロングタームエボリューション（ＬＴＥ）ネットワークの専用優先度を知るように設置され、
前記ネットワーク再選モジュールは、専用の優先度のイネーブル条件を満たす場合、前記専用優先度に基づいてアイドル状態のネットワーク再選を行うように設置される。
【００２２】
上記マルチモード端末は、
前記専用優先度取得モジュール、ＨＲＰＤアクセスネットワークとともに前記専用優先度を協議して確定し又は前記ＨＲＰＤアクセスネットワークから前記ＨＲＰＤアクセスネットワークが前記マルチモード端末に割り当てた専用優先度を受信することに更に用いられることを更に特徴とする。
【００２３】
上記マルチモード端末は、
前記ネットワーク再選モジュールは、前記ＨＲＰＤアクセスネットワークが送信した専用優先度アクティベーション指示を受信した後、専用優先度イネーブル条件を満たすと確定するように更に設置されることを更に特徴とする。
【００２４】
上記マルチモード端末は、
前記ネットワーク再選モジュールは、前記ＨＲＰＤアクセスネットワークが送信した専用優先度閾値を受信した後、専用優先度イネーブル条件を満たすと確定するように更に設置されることを更に特徴とする。
【００２５】
上記マルチモード端は、
前記ネットワーク再選モジュールは、前記専用優先度が、前記ＨＲＰＤアクセスネットワークが送信した専用優先度閾値以上であると判断した後、アイドル状態ネットワーク再選を行うように更に設置されることを更に特徴とする。
【００２６】
上記マルチモード端末は、
前記ネットワーク再選モジュールは、前記ＨＲＰＤアクセスネットワークが送信したネットワーク負荷情報を受信した後、前記負荷情報に基づいて専用優先度イネーブル条件を満たすかどうかを判断するように更に設置されることを更に特徴とする。
【００２７】
上記マルチモード端末は、
前記ネットワーク再選モジュールは、前記ＨＲＰＤアクセスネットワークが送信したランダム再選確率情報を受信した後、専用優先度イネーブル条件を満たすと確定するように更に設置されることを更に特徴とする。
【００２８】
上記マルチモード端末は、
前記ネットワーク再選モジュールは、前記ＨＲＰＤアクセスネットワークが送信した、専用優先度アクティベーション指示、専用優先度閾値、ランダム再選確率情報のうちの少なくとも２を受信した後、専用優先度イネーブル条件を満たすと確定するように更に設置されることを更に特徴とする。
【００２９】
上記マルチモード端末は、
前記ネットワーク再選モジュールは、前記ＨＲＰＤアクセスネットワークから受信した情報がランダム再選確率情報を含む時、前記ランダム再選確率情報に基づいて前記ランダム再選確率情報が指示する、ＬＴＥを再選する条件を満たすと判断した後、アイドル状態ネットワーク再選を行うように更に設置されることを更に特徴とする。
【００３０】
上記マルチモード端末は、
前記ランダム再選確率情報が指示する、ＬＴＥを再選する条件は、前記専用優先度に基づくランダム再選確率が指示する、ＬＴＥを再選する条件を満たすこと、前記ＬＴＥ周波数に基づくランダム再選確率が指示する、ＬＴＥ及び／又はＬＴＥ周波数を再選する条件を満たすことのうちの一つ又は組み合せを含み、
前記ランダム再選確率情報は少なくとも、専用優先度に基づくランダム再選確率、ＬＴＥ周波数に基づくランダム再選確率のうちの少なくとも一つを含み、そのうち、専用優先度に基づくランダム再選確率は各専用優先度がＬＴＥを再選する確率を表し、ＬＴＥ周波数に基づくランダム再選確率は端末が異なるＬＴＥ周波数を再選する確率を表すことを更に特徴とする。
【００３１】
上記マルチモード端末は、
前記ネットワーク再選モジュールは、前記ＨＲＰＤアクセスネットワークから受信した情報が専用優先度アクティベーション指示、専用優先度閾値、ランダム再選確率情報のうちの少なくとも一つを含む時、前記専用優先度に基づいてアイドル状態ネットワーク再選を行う方法は、下記操作ステップ、つまり、前記専用優先度アクティベーション指示に基づいてアクティベーションされた専用優先度を標識するステップ、前記専用優先度が前記専用優先度閾値の以上であると判断するステップ、前記ランダム再選確率情報に基づいて前記ランダム再選確率情報が指示する、ＬＴＥを再選する条件を満たすと判断するステップにおいて、受信した情報に相応する操作ステップを実行した後、アイドル状態ネットワーク再選を行うことを含むように更に設置されることを更に特徴とする。
【００３２】
本発明は高速パケットデータアクセスネットワーク装置を提供し、そのうち、ネットワーク専用優先度設定モジュールを含み、前記ネットワーク専用優先度設定モジュールは、高速パケットデータ（ＨＲＰＤ）ネットワーク及び／又はロングタームエボリューション（ＬＴＥ）ネットワークの専用優先度を設定するように設置される。
【００３３】
上記高速パケットデータアクセスネットワーク装置は、
前記ネットワーク専用優先度設定モジュールは、ネットワークの負荷総量又は負荷増加量又は負荷増加速度が予め設定された閾値を超えた後、マルチモード端末に専用優先度アクティベーション指示を送信し、又はさらに前記マルチモード端末に専用優先度イネーブル条件を満たすことを判断するためのネットワーク負荷情報を送信することに用いられるように更に設置されることを更に特徴とする。
【００３４】
上記高速パケットデータアクセスネットワーク装置は、
前記ネットワーク専用優先度設定モジュールは、高速パケットデータアクセスネットワークが共通優先度を提供しない時、マルチモード端末に専用優先度アクティベーション指示を送信し、又はさらに専用優先度をサポートすることができる端末に専用優先度アクティベーション指示を送信することに用いられるように更に設置されることを更に特徴とする。
【００３５】
上記高速パケットデータアクセスネットワーク装置は、
前記ネットワーク専用優先度設定モジュールは、ネットワークの負荷総量又は負荷増加量又は負荷増加速度が異なるレベルの予め設定された閾値を超えた時、マルチモード端末に異なる対応レベルの専用優先度閾値を送信するように更に設置されることを更に特徴とする。
【００３６】
上記高速パケットデータアクセスネットワーク装置は、
前記ネットワーク専用優先度設定モジュールは、マルチモード端末にランダム再選確率情報を送信するように更に設置され、前記ランダム再選確率情報は少なくとも、専用優先度に基づくランダム再選確率、ＬＴＥ周波数に基づくランダム再選確率のうちの少なくとも一つを含み、そのうち、専用優先度に基づくランダム再選確率は各専用優先度がＬＴＥを再選する確率を表し、ＬＴＥ周波数に基づくランダム再選確率は端末が異なるＬＴＥ周波数を再選する確率を表し、そのうち、前記ネットワーク専用優先度設定モジュールマルチモード端末にランダム再選確率情報を送信し的条件ＨＲＰＤ及び／又はＬＴＥネットワークの負荷総量、ＨＲＰＤ及び／又はＬＴＥネットワークの負荷増加量、ＨＲＰＤ及び／又はＬＴＥネットワークの負荷増加速度が異なるレベルのデフォルト閾値を超えることの一つを少なくとも含むことを更に特徴とする。
【発明の効果】
【００３７】
本解決手段はマルチモード端末がＨＲＰＤからＬＴＥにアイドル切り替えられた後のＨＲＰＤアクセスネットワークと端末との間の通信支障問題及びネットワーク選択の不均衡の問題を解決することができる。
【図面の簡単な説明】
【００３８】
【図１】図１は請求項１における情報処理方法模式図である。
【図２】図２は具体的な実施例一方法模式図である。
【図３】図３は具体的な実施例二の方法模式図である。
【図４】図４は解決手段二中における情報処理方法模式図である。
【図５】図５は解決手段二中におけるマルチモード端末の構造模式図である。
【図６】図６は解決手段二中における高速パケットデータアクセスネットワーク装置の構造模式図である。
【図７】図７は具体的な実施例三の方法模式図である。
【図８】図８は具体的な実施例四中において優先度閾値にかかわる方法模式図である。
【図９】図９は具体的な実施例五において専用優先度アクティベーション指示及び優先度閾値にかかわる方法模式図である。
【図１０】図１０は具体的な実施例六中にかかわるランダム再選に基づく方法模式図である。
【図１１】図１１は具体的な実施例七中にかかわるランダム再選基づく方法模式図である。
【発明を実施するための形態】
【００３９】
以下、図面を参照しながら本発明の実施例を詳細に説明する。ただし、衝突がない場合、本願における実施例及び実施例における特徴は互いに任意に組み合せることができる。
【００４０】
＜解決手段１＞
図１に示すように、マルチモード端末情報処理方法は、
マルチモード端末と高速パケットデータ（ＨＲＰＤ）アクセスネットワークは前記ＨＲＰＤアクセスネットワークが開始したセッションキープアライブメッセージを閉じることを協議して確定し、マルチモード端末がＨＲＰＤネットワークからロングタームエボリューション（ＬＴＥ）ネットワークに切り替えられた後、ＨＲＰＤアクセスネットワークはセッションキープアライブ要求メッセージをマルチモード端末に送信しないこと、及び／又は、マルチモード端末と高速パケットデータ（ＨＲＰＤ）アクセスネットワークは前記マルチモード端末が開始したセッションキープアライブメッセージを閉じることを協議して確定し、マルチモード端末がＨＲＰＤネットワークからロングタームエボリューション（ＬＴＥ）ネットワークに切り替えられた後、マルチモード端末はセッションキープアライブ要求メッセージをＨＲＰＤネットワークに送信しないことを含む。
【００４１】
本解決手段中におけるセッションキープアライブ要求メッセージを送信しないことは従来技術中におけるセッションキープアライブ要求メッセージを送信することに対応し、例えば、複数種の方式で本解決手段におけるセッションキープアライブ要求メッセージを送信しないことを達成することができ、セッションキープアライブ要求メッセージの送信の操作を禁止し、セッションキープアライブ要求メッセージの送信の実行ステップをキャンセルし、セッションキープアライブ要求メッセージの送信の実行ステップを削除する等の、各種のセッションキープアライブ要求メッセージを送信させない方式を設置する。
【００４２】
＜具体的な実施例１＞
図２に示すように、具体的な実施例１は、下記ステップを含む。
【００４３】
ステップ２０１：端末とＨＲＰＤアクセスネットワークはアクセスネットワークが開始したセッションキープアライブメッセージを閉じることを協議する。
【００４４】
ステップ２０１を実行した後、後続ステップ中において、ＨＲＰＤアクセスネットワークは、前記マルチモード端末にセッションキープアライブ要求メッセージを送信しない。
【００４５】
ステップ２０２：ＨＲＰＤエアインタフェース接続を閉じ、端末はＨＲＰＤアイドル状態に入り、端末とＨＲＰＤアクセスネットワークはそれぞれセッションオフタイマーを使用始める。
【００４６】
ステップ２０３：端末は異なるシステム間のアイドル状態再選を実行してＬＴＥネットワークに付着する。
【００４７】
ステップ２０４：１／３のセッションオフタイマー時間にある時、端末はセッションキープアライブ要求メッセージをトリガーする。
【００４８】
ステップ２０４ａ：ＭＭＥとＨＲＰＤアクセスネットワークの間にトンネルインターフェースが存在すると、端末はＬＴＥトンネルによりセッションキープアライブ要求メッセージを送信する。
【００４９】
ステップ２０４ｂ：ＭＭＥとＨＲＰＤアクセスネットワークの間にトンネルインターフェースが存在しないと、端末はＨＲＰＤエアインタフェースによりセッションキープアライブ要求メッセージを送信する。
【００５０】
ステップ２０５ａ：ＭＭＥとＨＲＰＤアクセスネットワークの間にトンネルインターフェースが存在すると、ＨＲＰＤアクセスネットワークはＬＴＥトンネルによりセッションキープアライブレスポンスメッセージを送信する。
【００５１】
ステップ２０５ｂ：ＭＭＥとＨＲＰＤアクセスネットワークの間にトンネルインターフェースが存在しないと、  ＨＲＰＤアクセスネットワークはＨＲＰＤエアインタフェースによりセッションキープアライブレスポンスメッセージを送信する。
【００５２】
＜具体的な実施例２＞
図３に示すように、具体的な実施例２は下記のステップを含む。
【００５３】
ステップ３０１：端末とＨＲＰＤアクセスネットワークはアクセスネットワークと端末が開始したセッションキープアライブメッセージを閉じることを協議する。
【００５４】
ステップ３０１を実行した後、後続ステップ中において、ＨＲＰＤアクセスネットワークは、マルチモード端末にセッションキープアライブ要求メッセージを送信せず；マルチモード端末はセッションキープアライブ要求メッセージを前記ＨＲＰＤネットワークに送信しない。  
【００５５】
ステップ３０２：ＨＲＰＤエアインタフェース接続を閉じ、端末はＨＲＰＤアイドル状態に入り、端末とＨＲＰＤアクセスネットワークはそれぞれセッションオフタイマーを使用始める。
【００５６】
ステップ３０３：端末は異なるシステム間のアイドル状態再選を実行してＬＴＥネットワークに付着する。
【００５７】
ステップ３０４：端末のセッションオフタイマーがタイムアウトし、端末はＨＲＰＤエアインタフェースセッション情報をクリアーする。
【００５８】
ステップ３０５：ＨＲＰＤアクセスネットワークのセッションオフタイマーがタイムアウトし、ＨＲＰＤアクセスネットワークはＨＲＰＤエアインタフェースセッション情報をクリアーする。
【００５９】
＜解決手段２＞
図４に示すように、マルチモード端末情報処理方法は、マルチモード端末は、ＨＲＰＤアクセスネットワークからＨＲＰＤネットワーク及び／又はＬＴＥネットワークの専用優先度を知り、専用の優先度のイネーブル条件を満たす場合、マルチモード端末が前記専用優先度に基づいてアイドル状態のネットワーク再選を行うことを含む。
【００６０】
前記マルチモード端末がＨＲＰＤアクセスネットワークから前記専用優先度を知る方式は、前記マルチモード端末とＨＲＰＤアクセスネットワークが前記専用優先度を協議確定し又は前記ＨＲＰＤアクセスネットワークが前記マルチモード端末に専用優先度を割り当てることである。本文中における専用優先度は専用優先度プロパティを有する端末情報を総括して指す。
【００６１】
前記専用優先度イネーブル条件を満たす判定方法は、前記マルチモード端末は前記ＨＲＰＤアクセスネットワークが送信した専用優先度アクティベーション指示を受信した後、専用優先度イネーブル条件を満たすと確定することである。前記ＨＲＰＤアクセスネットワークが前記専用優先度アクティベーション指示を送信するトリガー条件は、ネットワークの負荷総量又は負荷増加量又は負荷増加速度が予め設定された閾値を超え、又はＨＲＰＤアクセスネットワークが共通優先度を提供せず、又はＨＲＰＤアクセスネットワークが、前記マルチモード端末が専用優先度をサポートマルチモード端末であると判断したことである。
【００６２】
前記専用優先度イネーブル条件を満たす判定方法は、前記マルチモード端末は前記ＨＲＰＤアクセスネットワークが送信した専用優先度閾値を受信した後、専用優先度イネーブル条件を満たすと確定することであってもよい。前記ＨＲＰＤアクセスネットワークが前記専用優先度閾値を送信するトリガー条件は、ネットワークの負荷総量又は負荷増加量又は負荷増加速度が異なるレベルの予め設定された閾値を超えたとき、ＨＲＰＤアクセスネットワークは対応するレベルの専用優先度閾値を提供することである。前記マルチモード端末が前記専用優先度に基づいてアイドル状態ネットワーク再選を行うことは前記マルチモード端末が、前記専用優先度が前記ＨＲＰＤアクセスネットワークの送信した専用優先度閾値の以上であると判断した後、アイドル状態ネットワーク再選を行うことを含む。
【００６３】
前記専用優先度イネーブル条件を満たす判定方法は、前記マルチモード端末が、前記ＨＲＰＤアクセスネットワークが送信したネットワーク負荷情報を受信した後、前記負荷情報に基づいて専用優先度イネーブル条件を満たすかどうかを判断することであってもよい。
【００６４】
前記専用優先度イネーブル条件を満たす判定方法は、前記マルチモード端末が、前記ＨＲＰＤアクセスネットワークが送信したランダム再選確率情報を受信した後、専用優先度イネーブル条件を満たすと確定することであってもよい。
【００６５】
前記専用優先度イネーブル条件を満たす判定方法は、前記マルチモード端末が、前記ＨＲＰＤアクセスネットワークが送信した、専用優先度アクティベーション指示、専用優先度閾値、ランダム再選確率情報のうちの少なくとも２つを受信した後、専用優先度イネーブル条件を満たすと確定することであってもよい。
【００６６】
そのうち、前記ランダム再選確率は専用優先度に基づくランダム再選確率、ＬＴＥ周波数に基づくランダム再選確率のうちの一つの又は組み合せを含み、そのうち専用優先度に基づくランダム再選確率は各専用優先度がＬＴＥを再選する確率を表し、ＬＴＥ周波数に基づくランダム再選確率は端末が異なるＬＴＥ周波数を再選する確率を表す。ランダム再選確率情報が指示する、ＬＴＥを再選する条件は、専用優先度に基づくランダム再選確率が指示する、ＬＴＥを再選する条件を満たすこと、ＬＴＥ周波数に基づくランダム再選確率が指示する、ＬＴＥ及び／又はＬＴＥ周波数を再選する条件を満たすことのうちの一つ又は組み合せを含む。
【００６７】
前記ＨＲＰＤアクセスネットワークマルチモード端末にランダム再選確率情報を送信するトリガー条件は、ＨＲＰＤ及び／又はＬＴＥネットワークの負荷総量、ＨＲＰＤ及び／又はＬＴＥネットワークの負荷増加量、ＨＲＰＤ及び／又はＬＴＥネットワークの負荷増加速度が異なるレベルのデフォルト閾値を超えることの一つを少なくとも含む。
【００６８】
前記マルチモード端末が前記ＨＲＰＤアクセスネットワークから受信した情報が、ランダム再選確率情報を含む時、前記マルチモード端末が前記専用優先度に基づいてアイドル状態ネットワーク再選を行う方法は、前記ランダム再選確率情報に基づいて前記ランダム再選確率情報が指示する、ＬＴＥを再選する条件を満たすと判断した後、アイドル状態ネットワーク再選を行うことを含む。
【００６９】
前記マルチモード端末が前記ＨＲＰＤアクセスネットワークから受信した情報が、専用優先度アクティベーション指示、専用優先度閾値、ランダム再選確率情報のうちの少なくとも一つを含む時、前記マルチモード端末が前記専用優先度に基づいてアイドル状態ネットワーク再選を行う方法は、前記マルチモード端末は、下記操作ステップ、つまり、前記専用優先度アクティベーション指示に基づいてアクティベーションされた専用優先度を標識するステップ、前記専用優先度が前記専用優先度閾値の以上であると判断するステップ、前記ランダム再選確率情報に基づいて前記ランダム再選確率情報が指示する、ＬＴＥを再選する条件を満たすと判断するステップにおいて、受信した情報に相応する操作ステップを実行した後、アイドル状態ネットワーク再選を行うことを含む。具体的に、前記マルチモード端末が前記専用優先度に基づいてアイドル状態ネットワーク再選を行うことは、前記マルチモード端末が専用優先度アクティベーション指示を受信した後、前記専用優先度アクティベーション指示に基づいてアクティベーションされた専用優先度を標識するステップを実行した後、更にアイドル状態ネットワーク再選を行う必要があり、前記マルチモード端末が専用優先度閾値を受信した後、前記専用優先度が前記ＨＲＰＤアクセスネットワークの送信した専用優先度閾値以上であると判断するステップを実行した後、更にアイドル状態ネットワーク再選を行う必要があることを含む。前記マルチモード端末がランダム再選確率情報を受信した後、前記ランダム再選確率情報に基づいて前記ランダム再選確率情報が指示する、ＬＴＥを再選する条件を満たすと判断するステップを実行した後、更にアイドル状態ネットワーク再選を行う。
【００７０】
図５に示すように、この解決手段２において、マルチモード端末は専用優先度取得モジュール５０及びネットワーク再選モジュール５１を含む。
【００７１】
前記専用優先度取得モジュール５０は、ＨＲＰＤアクセスネットワークから高速パケットデータ（ＨＲＰＤ）ネットワーク及び／又はロングタームエボリューション（ＬＴＥ）ネットワークの専用優先度を知るように設置され、
前記ネットワーク再選モジュール５１は、専用の優先度のイネーブル条件を満たす場合、前記専用優先度に基づいてアイドル状態のネットワーク再選を行うように設置される。
【００７２】
前記専用優先度取得モジュール５０は、ＨＲＰＤアクセスネットワークとともに前記専用優先度を協議して確定し又は前記ＨＲＰＤアクセスネットワークから前記ＨＲＰＤアクセスネットワークが前記マルチモード端末に割り当てた専用優先度を受信するように更に設置される。
【００７３】
前記ネットワーク再選モジュール５１は、前記ＨＲＰＤアクセスネットワークが送信した専用優先度アクティベーション指示を受信した後、専用優先度イネーブル条件を満たすと確定するように更に設置される。
【００７４】
前記ネットワーク再選モジュール５１は、前記ＨＲＰＤアクセスネットワークが送信した専用優先度閾値を受信した後、専用優先度イネーブル条件を満たすと確定するように更に設置される。
【００７５】
前記ネットワーク再選モジュール５１は、前記専用優先度が、前記ＨＲＰＤアクセスネットワークが送信した専用優先度閾値以上であると判断した後、アイドル状態ネットワーク再選を行うように更に設置される。
【００７６】
前記ネットワーク再選モジュール５１は、前記ＨＲＰＤアクセスネットワークが送信したネットワーク負荷情報を受信した後、前記負荷情報に基づいて専用優先度イネーブル条件を満たすかどうかを判断するように更に設置される。
【００７７】
前記ネットワーク再選モジュール５１は、前記ＨＲＰＤアクセスネットワークが送信したランダム再選確率情報を受信した後、専用優先度基づくネットワーク再選条件を満たすと確定するように更に設置される。
【００７８】
前記ネットワーク再選モジュール５１は、前記ＨＲＰＤアクセスネットワークが送信した、専用優先度アクティベーション指示、専用優先度閾値、ランダム再選確率情報のうちの少なくとも２を受信した後、専用優先度イネーブル条件を満たすと確定するように更に設置される。
【００７９】
前記ネットワーク再選モジュール５１は、前記ＨＲＰＤアクセスネットワークから受信した情報がランダム再選確率情報を含む時、前記ランダム再選確率情報に基づいて前記ランダム再選確率情報が指示する、ＬＴＥを再選する条件を満たすと判断した後、アイドル状態ネットワーク再選を行うように更に設置される。
【００８０】
そのうち、前記ランダム再選確率が指示するＬＴＥを再選することは、前記端末が前記専用優先度に基づくランダム再選確率情報が指示する、ＬＴＥを再選する条件を満たすこと、前記端末が前記ＬＴＥ周波数に基づくランダム再選確率が指示する、ＬＴＥ及び／又はＬＴＥ周波数を再選する条件を満たすことのうちの一つ又は組み合せを含む。前記ランダム再選確率情報は少なくとも、専用優先度に基づくランダム再選確率、ＬＴＥ周波数に基づくランダム再選確率のうちの少なくとも一つを含み、そのうち、専用優先度に基づくランダム再選確率は各専用優先度がＬＴＥを再選する確率を表し、ＬＴＥ周波数に基づくランダム再選確率は端末が異なるＬＴＥ周波数を再選する確率を表す。
【００８１】
前記ネットワーク再選モジュール５１が、前記ＨＲＰＤアクセスネットワークから受信した情報が専用優先度アクティベーション指示、専用優先度閾値、ランダム再選確率情報のうちの少なくとも一つを含む時、前記専用優先度に基づいてアイドル状態ネットワーク再選を行う方法は、下記操作ステップ、つまり、前記専用優先度アクティベーション指示に基づいてアクティベーションされた専用優先度を標識するステップ、前記専用優先度が前記専用優先度閾値の以上であると判断するステップ、前記ランダム再選確率情報に基づいて前記ランダム再選確率情報が指示する、ＬＴＥを再選する条件を満たすと判断するステップにおいて、受信した情報に相応する操作ステップを実行した後、アイドル状態ネットワーク再選を行うことを含むように更に設置される。
【００８２】
図６に示すように、この解決手段において、高速パケットデータアクセスネットワーク装置はネットワーク専用優先度設定モジュール６０を含む。
【００８３】
前記ネットワーク専用優先度設定モジュール６０は、高速パケットデータ（ＨＲＰＤ）ネットワーク及び／又はロングタームエボリューション（ＬＴＥ）ネットワークの専用優先度を設定するように設置される。
【００８４】
前記ネットワーク専用優先度設定モジュール６０は、ネットワークの負荷総量又は負荷増加量又は負荷増加速度が予め設定された閾値を超えた（異なるレベルのデフォルト閾値を含んでもよい）後、マルチモード端末に専用優先度アクティベーション指示及び／又は専用優先度閾値（ここの専用優先度閾値は予め設定された閾値と対応するレベルの専用優先度閾値である）を送信し、又は更に前記マルチモード端末に専用優先度イネーブル条件を満たすことを判断するためのネットワーク負荷情報を送信することに用いられ、又は、高速パケットデータアクセスネットワークが共通優先度を提供しない時、マルチモード端末に専用優先度アクティベーション指示を送信し、又は専用優先度をサポートすることができる端末に専用優先度アクティベーション指示を送信するように更に設置される。
【００８５】
前記ネットワーク専用優先度設定モジュール６０は、高速パケットデータアクセスネットワークが共通優先度を提供しない時、マルチモード端末に専用優先度アクティベーション指示を送信し、又はさらに専用優先度をサポートすることができる端末に専用優先度アクティベーション指示を送信することに用いられるように更に設置される。
【００８６】
前記ネットワーク専用優先度設定モジュール６０は、マルチモード端末にランダム再選確率情報を送信するように更に設置され、ランダム再選確率情報、専用優先度に基づくランダム再選確率、ＬＴＥ周波数に基づくランダム再選確率のうちの少なくとも一つを含み、そのうち、専用優先度に基づくランダム再選確率は各専用優先度がＬＴＥを再選する確率を表し、ＬＴＥ周波数に基づくランダム再選確率は端末が異なるＬＴＥ周波数を再選する確率を表す。そのうち、前記ネットワーク専用優先度設定モジュールがマルチモード端末にランダム再選確率情報を送信する条件は、ＨＲＰＤ及び／又はＬＴＥネットワークの負荷総量、ＨＲＰＤ及び／又はＬＴＥネットワークの負荷増加量、ＨＲＰＤ及び／又はＬＴＥネットワークの負荷増加速度が異なるレベルのデフォルト閾値を超えることの一つを少なくとも含む。
【００８７】
＜具体的な実施例３＞
図７に示すように、具体的な実施例３はステップ７０１〜ステップ７０６を含む。
【００８８】
ステップ７０１：端末１及び端末２はそれぞれＨＲＰＤネットワークから異なるシステム間の専用優先度を知る。具体的な方式は、端末１と端末２がそれぞれＨＲＰＤアクセスネットワークとともに専用優先度情報を協議して確定し、又はＨＲＰＤアクセスネットワークがそれぞれ端末１と端末２に専用優先度情報を割り当てることを含み、例えばＨＲＰＤアクセスネットワークはセッション協議メッセージ（設定請求／レスポンスメッセージ、プロパティ更新請求／メッセージ受信）、接続リリースメッセージ又はチャネル割り当てメッセージ等のメッセージにより専用優先度を端末に与えることができ、そのうち、ＨＲＰＤアクセスネットワークは端末のサブスクリプションデータにより及び／又はオペレータ戦略に基づいて端末の専用優先度を決定することができ、該専用優先度は主に異なるシステム間のセル選択又は再選に用いられ、異なるシステム間の専用セル選択又は再選優先度とも称されてもよい。
【００８９】
ステップ７０２：端末１及び端末２はＨＲＰＤネットワーク中においてアイドル状態にある。
【００９０】
ステップ７０３：ＨＲＰＤアクセスネットワークは端末に異なるシステム間の専用優先度アクティベーション指示を送信する。
【００９１】
ＨＲＰＤアクセスネットワークはそのネットワーク及び／又は異なるネットワークの負荷状況に基づいて該指示情報を設置してもよく、例えば、あるネットワークの負荷総量又は負荷増加量又は負荷増加速度が予め設定された閾値を超えた時、専用優先度をアクティベーションする。
【００９２】
又は、ＨＲＰＤアクセスネットワークは直接に異なるシステム間の負荷情報を端末に送信し、マルチモード端末は前記負荷情報に基づいて専用優先度イネーブル条件を満たすかどうかを判断する。例えば、負荷情報は複数の負荷量レベルを含み、マルチモード端末はあるネットワークの負荷量がそのうち一つ又は複数のレベルを満たすと判断した時、自動に専用優先度をアクティベーションする。
【００９３】
また、ＨＲＰＤアクセスネットワークは、該専用優先度アクティベーション指示を柔軟的に設定してもよく、例えば、ＨＲＰＤアクセスネットワークが共通優先度を提供しない時、ＨＲＰＤアクセスネットワークは直接に専用優先度（上記負荷状況又は他のパラメータ場合を配慮する必要がない）をアクティベーションすることができ、又は、専用優先度をサポートすることができる端末に対して、ＨＲＰＤアクセスネットワークは常時にその専用優先度（上記負荷状況又は他のパラメータ状況を配慮する必要がない）をアクティベーションすることができる。
【００９４】
ステップ７０４：端末は専用優先度に基づいてアイドル状態のネットワーク再選を行う。
【００９５】
ステップ７０５：端末１は再選してＬＴＥネットワークに付着する。
【００９６】
ステップ７０６：端末２はＨＲＰＤネットワークに引き続きとどまる。
【００９７】
＜具体的な実施例４＞
図８に示すように、具体的な実施例４は下記のステップ８０１〜ステップ８０６を含む。
【００９８】
ステップ８０１：端末１、端末２及び端末３はそれぞれＨＲＰＤネットワークから異なるシステムの専用優先度を知る。具体的な方式は、端末１、２、３がそれぞれＨＲＰＤアクセスネットワークとともに専用優先度情報を協議して確定し、又はＨＲＰＤアクセスネットワークがそれぞれ端末１、２、３に専用優先度情報を割り当てることを含み、例えばＨＲＰＤアクセスネットワークはセッション協議メッセージ（設定請求／レスポンスメッセージ、プロパティ更新請求／メッセージ受信）、接続リリースメッセージ又はチャネル割り当てメッセージを介することができ、そのうち、ＨＲＰＤアクセスネットワークは端末のサブスクリプションデータにより及び／又はオペレータ戦略に基づいて端末の専用優先度を決定することができ、該専用優先度は主に異なるシステム間のネットワーク又はセル選択又は再選に用いられ、異なるシステム間の専用ネットワーク又はセル選択又は再選優先度とも称されてもよく、又は、ＨＲＰＤアクセスネットワークはエアインタフェースパラメータ管理（ＯＴＡＰＡ）方式により専用優先度を端末に与える。
【００９９】
ステップ８０２：端末１、２、３はＨＲＰＤネットワーク中においてアイドル状態にある。
【０１００】
ステップ８０３：ＨＲＰＤアクセスネットワークは端末に異なるシステム専用優先度閾値を送信する。端末は異なるシステム専用優先度閾値を受信した後（端末はＨＲＰＤネットワークにあり、従って、この異なるシステム専用優先度閾値はＬＴＥの専用優先度閾値を指す）、そのＬＴＥ専用優先度をアクティベーションし、且つ異なるシステム間の専用優先度に基づくネットワーク選択又は再選を行うことができるかどうかを判断する。
【０１０１】
ＨＲＰＤアクセスネットワークはそのネットワーク及び／又は異なるネットワークの負荷状況に基づいて該閾値情報を設定してもよく、例えば、あるネットワークの負荷総量又は負荷増加量又は負荷増加速度が異なるレベルの予め設定された閾値を超えた時、対応するレベルの専用優先度閾値を設定する。例えば、専用優先度を７つのレベルに分けると、７つレベルの閾値、及び相応する７つレベルの専用優先度閾値を設定してもよい。
【０１０２】
ステップ８０４：端末１は、そのＬＴＥ専用優先度が専用優先度閾値より小さいと判断すると、再選操作を実行せず、ＨＲＰＤネットワークに引き続きとどまる。
【０１０３】
ステップ８０５：端末２は、そのＬＴＥ専用優先度が専用優先度閾値以上であると判断すると、再選操作を実行する。ＬＴＥを再選する条件を満たさない（例えば、ＬＴＥ優先度がＨＲＰＤ優先度より小さく且つＬＴＥ信号品質が再選の信号品質及び／又は強度条件を満たさず、又はＬＴＥ優先度がＨＲＰＤ優先度より大きく且つＬＴＥ信号品質が再選の信号品質及び／又は強度条件を満たさない等、具体的に規範を参照しながら定義することができる）ため、端末２は、ＨＲＰＤネットワークに引き続きとどまる。
【０１０４】
ステップ８０６：端末３は、そのＬＴＥ専用優先度が専用優先度閾値以上であると判断すると、再選操作を実行する。ＬＴＥを再選する条件を満たす（例えば、ＬＴＥ優先度がＨＲＰＤ優先度より小さく且つＬＴＥ信号品質が再選の信号品質及び／又は強度条件を満たし、又はＬＴＥ優先度がＨＲＰＤ優先度より大きく且つＬＴＥ信号品質が再選の信号品質及び／又は強度条件を満たす等、具体的に規範を参照しながら定義することができる）と、端末３は、ＬＴＥネットワークに付着する。
【０１０５】
＜具体的な実施例５＞
図９に示すように、具体的な実施例５は下記ステップを含む。
【０１０６】
ステップ９０１：端末１、端末２及び端末３は、それぞれＨＲＰＤネットワークから異なるシステム間の専用優先度を知る。具体的な方式は、端末１、２、３がそれぞれＨＲＰＤアクセスネットワークとともに専用優先度情報を協議して確定し、又はＨＲＰＤアクセスネットワークがそれぞれ端末１、２、３に専用優先度情報を割り当てることを含み、例えばＨＲＰＤアクセスネットワークはセッション協議メッセージ（設定請求／レスポンスメッセージ、プロパティ更新請求／メッセージ受信）、接続リリースメッセージ又はチャネル割り当てメッセージ等のメッセージにより専用優先度を端末与えることができ、そのうち、ＨＲＰＤアクセスネットワークは端末のサブスクリプションデータにより及び／又はオペレータ戦略に基づいて端末の専用優先度を決定することができ、該専用優先度は主に異なるシステム間のネットワーク又はセル選択又は再選に用いられ、異なるシステム間の専用ネットワーク又はセル選択又は再選優先度とも称されてもよく、又は、ＨＲＰＤアクセスネットワークはエアインタフェースパラメータ管理（ＯＴＡＰＡ）方式により専用優先度を端末に与える。
【０１０７】
ステップ９０２：端末１、２、３はＨＲＰＤネットワーク中においてアイドル状態にある。
【０１０８】
ステップ９０３：ＨＲＰＤアクセスネットワークは端末に異なるシステム間の専用優先度アクティベーション指示及び異なるシステム専用優先度閾値を送信する。端末が専用優先度アクティベーション指示を受信した後、そのＬＴＥ専用優先度をアクティベーションする。更に、該異なるシステム専用優先度閾値（端末がＨＲＰＤネットワークにあり、従ってここの異なるシステム専用優先度閾値はＬＴＥの専用優先度閾値を指す）は端末が異なるシステム間の専用優先度基づくネットワーク選択又は再選を行うことができるかどうかを判断すること用いられる。
【０１０９】
ＨＲＰＤアクセスネットワークはそのネットワーク及び／又は異なるネットワークの負荷状況に基づいて該アクティベーション指示及び閾値情報を設定することができ、例えば、あるネットワークの負荷総量又は負荷増加量又は負荷増加速度が異なるレベルの予め設定された閾値を超えた時、対応するレベルの専用優先度閾値を設定する。例えば専用優先度を７つのレベルに分けると、７つのレベルの閾値、及び相応する７つのレベルの専用優先度閾値を設定することができる。
【０１１０】
ステップ９０４：端末１は、そのＬＴＥ専用優先度が専用優先度閾値より小さいと判断すると、再選操作を実行せず、ＨＲＰＤネットワークに引き続きとどまる。
【０１１１】
ステップ９０５：端末２は、そのＬＴＥ専用優先度が専用優先度閾値以上であると判断すると、再選操作を実行する。ＬＴＥを再選する条件を満たさない（例えば、ＬＴＥ優先度がＨＲＰＤ優先度より小さく且つＬＴＥ信号品質が再選の信号品質及び／又は強度条件を満たさず、又はＬＴＥ優先度がＨＲＰＤ優先度より大きく且つＬＴＥ信号品質が再選の信号品質及び／又は強度条件を満たさない等、具体的に規範を参照しながら定義することができる）ため、端末２は、ＨＲＰＤネットワークに引き続きとどまる。
【０１１２】
ステップ９０６：端末３は、そのＬＴＥ専用優先度が専用優先度閾値以上であると判断すると、再選操作を実行する。ＬＴＥを再選する条件を満たす（例えば、ＬＴＥ優先度がＨＲＰＤ優先度より小さく且つＬＴＥ信号品質が再選の信号品質及び／又は強度条件を満たし、又はＬＴＥ優先度がＨＲＰＤ優先度より大きく且つＬＴＥ信号品質が再選の信号品質及び／又は強度条件を満たす等、具体的に規範を参照しながら定義することができる）と、端末３は、ＬＴＥネットワークに付着する。
【０１１３】
＜具体的な実施例６＞
図１０に示すように、具体的な実施例６は下記ステップを含む。
【０１１４】
ステップ１００１：端末１、端末２、端末３、端末４、端末５及び端末６は、それぞれＨＲＰＤネットワークから異なるシステム間の専用優先度を知り、本実施例では端末１−６の専用優先度がいずれも６であると仮定する。具体的な方式は、端末１、２、３、４、５、６がそれぞれＨＲＰＤアクセスネットワークとともに専用優先度情報を協議して確定し、又はＨＲＰＤアクセスネットワークがそれぞれ端末１、２、３、４、５、６に専用優先度情報を割り当てることを含み、例えばＨＲＰＤアクセスネットワークはセッション協議メッセージ（設定請求／レスポンスメッセージ、プロパティ更新請求／メッセージ受信）、接続リリースメッセージ又はチャネル割り当てメッセージ等のメッセージにより専用優先度を端末に与えることができ、そのうち、ＨＲＰＤアクセスネットワークは端末のサブスクリプションデータにより及び／又はオペレータ戦略に基づいて端末の専用優先度を決定することができ、該専用優先度は主に異なるシステム間のネットワーク又はセル選択又は再選に用いられ、異なるシステム間の専用ネットワーク又はセル選択又は再選優先度とも称されてもよく、又は、ＨＲＰＤアクセスネットワークはエアインタフェースパラメータ管理（ＯＴＡＰＡ）方式により専用優先度を端末に与える。
【０１１５】
ステップ１００２：端末１、２、３、４、５、６は、ＨＲＰＤネットワーク中においてアイドル状態にある。
【０１１６】
ステップ１００３：ＨＲＰＤアクセスネットワークは、端末に異なるシステム間の専用優先度アクティベーション指示及びランダム再選確率情報を送信する。端末が専用優先度アクティベーション指示を受信した後、そのＬＴＥ専用優先度をアクティベーションする。更に、端末は、再選確率に基づいてＬＴＥを再選するかどうか及び再選のターゲットＬＴＥ周波数を確定する。
【０１１７】
ＨＲＰＤアクセスネットワークはそのネットワーク及び／又は異なるネットワークの負荷状況、例えば、あるネットワークの負荷総量又は負荷増加量又は負荷増加速度が予め設定された閾値を超えた時に基づいて該アクティベーション指示を設定することができる。
【０１１８】
ＨＲＰＤアクセスネットワークは、そのネットワーク及び／又は異なるネットワークの負荷状況及び専用優先度レベルに基づいて該ランダム再選確率情報を設定することができ（ＨＲＰＤアクセスネットワークは直接に相応するランダム再選確率値を与えることができ、又はＨＲＰＤアクセスネットワークはランダム再選確率情報を与え、端末は対応するアルゴリズムに基づいて該ランダム再選確率情報に対応するランダム再選確率値を計算する）、該ランダム再選確率情報は２つの部分を含み、第１部分は専用優先度に基づくランダム再選確率情報であり、その対応する再選確率値がｐ＿ｐ（該実施例中において専用優先度６のｐ＿ｐ＝２／３と仮設し、例えば、端末が受信したＨＲＰＤアクセスネットワークが送信した専用優先度に基づくランダム再選確率情報の値が０である時、専用優先度に基づくランダム再選確率ｐ＿ｐが１００％であることを表し、専用優先度に基づくランダム再選確率情報の値が１である時、専用優先度に基づくランダム再選確率ｐ＿ｐが２／３であることを表す）と記し、ＨＲＰＤアクセスネットワークは各専用優先度にＬＴＥを再選する確率を割り当てることができ、一般的には、優先度が高ければ高いほど該確率は高くなり、第２部分はＬＴＥ周波数に基づくランダム再選確率情報であり、その対応する再選確率値がｐ＿ｆ（該実施例中において、ＬＴＥ周波数１、２、３の確率がそれぞれｐ＿ｆ１＝０．３、ｐ＿ｆ２＝０．５、ｐ＿ｆ３＝０．２であると仮設し、例えば、端末が受信したＨＲＰＤアクセスネットワークが送信した、対応する周波数１、２、３に基づくランダム再選確率情報の値がそれぞれ３、５、２である時、周波数１、２、３に基づくランダム再選確率がそれぞれ３／（３＋５＋２）＝０．３、５／（３＋５＋２）＝０．５、２／（３＋５＋２）＝０．２であることを表す）と記し、ＨＲＰＤアクセスネットワークは各ＬＴＥ周波数に端末が該周波数を再選することができる確率を割り当てることができ、一般的には、負荷が低ければ低いほど該確率は高くなる。
【０１１９】
具体的には、ランダム再選アルゴリズム（ＬＴＥ及びＨＲＰＤは信号強度がいずれも十分よいと仮設する）は、以下のとおりである。
【０１２０】
端末は一つのランダム数ｘを生じ、ｘｊは［０，１］の間にあり、ｘ≦ｐ＿ｐ、すなわちｘ＜２／３であると、該端末がＬＴＥを再選することができることを表し、ｘ＞ｐ＿ｐ、すなわちｘ＞２／３であると、端末がＨＲＰＤに引き続きとどまることを表し、  
ｘ≦ｐ＿ｐ、すなわちｘ＜２／３である時、更にＬＴＥ周波数の再選確率に基づいてどのＬＴＥ周波数を再選するかを確定することができ、参照可能なアルゴリズム（このアルゴリズムは１種の例に過ぎず、端末はランダム再選確率に基づいてその他アルゴリズムを設計することができる）は以下のとおりであり、
ｘ≦［ｐ＿ｐ＊ｐ＿ｆ１＝２／３＊０．３＝  ０．２］であると、端末はＬＴＥ周波数１を再選し、
［ｐ＿ｐ＊ｐ＿ｆ１＝２／３＊０．３＝  ０．２］＜ｘ≦［ｐ＿ｐ＊（ｐ＿ｆ１＋ｐ＿ｆ２）＝２／３＊（０．３＋０．５）＝０．５３］であると、端末はＬＴＥ周波数２を再選し、
［ｐ＿ｐ＊（ｐ＿ｆ１＋ｐ＿ｆ２）＝２／３＊（０．３＋０．５）＝０．５３］＜ｘ≦［ｐ＿ｐ＊（ｐ＿ｆ１＋ｐ＿ｆ２＋ｐ＿ｆ３）＝０．６７］であると、端末はＬＴＥ周波数３を再選する。
【０１２１】
ステップ１００４：端末１は、専用優先度をアクティベーションし、且つステップ３のランダム再選アルゴリズムに基づいてランダム数０．１を生じ、ランダム再選確率情報が指示する、ＬＴＥを再選する条件を満たし、再選操作を実行する。ＬＴＥを再選する条件を満たす（例えばＬＴＥ及び／又はＨＲＰＤ信号が再選の信号品質及び／又は強度条件を満たす等、具体的に規範を参照しながら定義することができる）と、端末１は、ＬＴＥ周波数１を再選する。
【０１２２】
ステップ１００５：端末２及び３は、専用優先度をアクティベーションし、ステップ３のランダム再選アルゴリズムに基づいてそれぞれランダム数０．４及び０．５を生じ、ランダム再選確率情報が指示する、ＬＴＥを再選する条件を満たし、再選操作を実行する。ＬＴＥを再選する条件を満たす（例えばＬＴＥ及び／又はＨＲＰＤ信号が再選の信号品質及び／又は強度条件を満たす等、具体的に規範を参照しながら定義することができる）と、端末２及び３は、ＬＴＥ周波数２を再選する。
【０１２３】
ステップ１００６：端末４は、専用優先度をアクティベーションし且つステップ３のランダム再選アルゴリズムに基づいてランダム数０．６を生じ、ランダム再選確率情報が指示する、ＬＴＥを再選する条件を満たし、再選操作を実行する。ＬＴＥを再選する条件を満たす（例えばＬＴＥ及び／又はＨＲＰＤ信号が再選の信号品質及び／又は強度条件を満たす等、具体的に規範を参照しながら定義することができる）と、端末４は、ＬＴＥ周波数３を再選する。
【０１２４】
ステップ１００７：端末５及び６は、専用優先度をアクティベーションし、且つステップ３のランダム再選アルゴリズムに基づいてそれぞれランダム数０．７及び０．８を生じ、ランダム再選確率情報が指示する、ＬＴＥを再選する条件を満たさないため、端末５及び６はＨＲＰＤにとどまる。
【０１２５】
＜具体的な実施例７＞
図１１に示すように、具体的な実施例７は下記ステップを含む。
【０１２６】
ステップ１１０１：端末１、端末２、端末３、端末４、端末５、端末６、端末７及び端末８は、それぞれＨＲＰＤネットワークから異なるシステム間の専用優先度を知り、本実施例は端末１−６の専用優先度がいずれも６であり、端末７及び８の専用優先度が４であると仮定する。具体的な方式は、端末がそれぞれＨＲＰＤアクセスネットワークとともに専用優先度情報を協議して確定し、又はＨＲＰＤアクセスネットワークがそれぞれ端末に専用優先度情報に割り当てることを含み、例えばＨＲＰＤアクセスネットワークはセッション協議メッセージ（設定請求／レスポンスメッセージ、プロパティ更新請求／メッセージ受信）、接続リリースメッセージ又はチャネル割り当てメッセージ等のメッセージにより専用優先度を端末に与えることができ、そのうち、ＨＲＰＤアクセスネットワークは端末のサブスクリプションデータにより及び／又はオペレータ戦略に基づいて端末の専用優先度を決定することができ、該専用優先度は主に異なるシステム間のネットワーク又はセル選択又は再選に用いられ、異なるシステム間の専用ネットワーク又はセル選択又は再選優先度とも称されてもよく、又は、ＨＲＰＤアクセスネットワークはエアインタフェースパラメータ管理（ＯＴＡＰＡ）方式により専用優先度を端末に与える。
【０１２７】
ステップ１１０２：端末１、２、３、４、５、６、７、８は、ＨＲＰＤネットワーク中においてアイドル状態にある。
【０１２８】
ステップ１１０３：ＨＲＰＤアクセスネットワークは、端末に異なるシステム間の専用優先度アクティベーション指示、専用優先度閾値及びランダム再選確率情報を送信する。端末が専用優先度アクティベーション指示を受信した後、そのＬＴＥ専用優先度をアクティベーションする。更に、端末は、専用優先度閾値及び再選確率に基づいてＬＴＥを再選するかどうか及び再選のターゲットＬＴＥ周波数を確定する。
【０１２９】
ＨＲＰＤアクセスネットワークは、そのネットワーク及び／又は異なるネットワークの負荷状況、例えば、あるネットワークの負荷総量又は負荷増加量又は負荷増加速度が予め設定された閾値を超えた時に基づいて該アクティベーション指示を設定することができる。
【０１３０】
ＨＲＰＤアクセスネットワークは、そのネットワーク及び／又は異なるネットワークの負荷状況及び専用優先度レベルに基づいて専用優先度閾値（該実施例中において専用優先度閾値が５であると仮設する）及びランダム再選確率情報（ＨＲＰＤアクセスネットワークは直接に相応するランダム再選確率値を与えることができ、又はＨＲＰＤアクセスネットワークはランダム再選確率情報を与え、端末は対応するアルゴリズムに基づいて該ランダム再選確率情報に対応するランダム再選確率値を計算する）を設定することができ、ランダム再選確率情報は２つの部分を含み、第１部分は専用優先度に基づくランダム再選確率情報であり、その対応する再選確率値はｐ＿ｐ（該実施例中において専用優先度６のｐ＿ｐ＝２／３であると仮設し、例えば、端末が受信したＨＲＰＤアクセスネットワークが送信した専用優先度に基づくランダム再選確率情報の値が０である時、専用優先度に基づくランダム再選確率ｐ＿ｐが１００％であることを表し、専用優先度に基づくランダム再選確率情報の値が１である時、専用優先度に基づくランダム再選確率ｐ＿ｐが２／３であることを表す）と記し、ＨＲＰＤアクセスネットワークは各専用優先度にＬＴＥを再選する確率を割り当てることができ、一般的には、優先度が高ければ高いほど該確率は高くなり、第２部分はＬＴＥ周波数に基づくランダム再選確率情報であり、その対応する再選確率値はｐ＿ｆ（該実施例中においてＬＴＥ周波数１、２、３の確率がそれぞれｐ＿ｆ１＝０．３、ｐ＿ｆ２＝０．５、ｐ＿ｆ３＝０．２であることを仮設し、例えば、端末が受信したＨＲＰＤアクセスネットワークが送信した対応する周波数１、２、３に基づくランダム再選確率情報の値がそれぞれ３、５、２である時、周波数１、２、３に基づくランダム再選確率がそれぞれ３／（３＋５＋２）＝０．３、５／（３＋５＋２）＝０．５、２／（３＋５＋２）＝０．２であることを表す）と記し、ＨＲＰＤアクセスネットワークは各ＬＴＥ周波数に端末が該周波数を再選することができる確率を割り当てることができ、一般的には、負荷が低ければ低いほど該確率は高くなる。
【０１３１】
具体的なランダム再選アルゴリズム（ＬＴＥ及びＨＲＰＤ信号強度がいずれも十分よいと仮設する）は以下のとおりである。
【０１３２】
端末は１つのランダム数ｘを生じ、ｘｊは［０，１］の間にあり、ｘ≦ｐ＿ｐ、すなわちｘ＜２／３であると、該端末がＬＴＥを再選することができることを表し、ｘ＞ｐ＿ｐ、すなわちｘ＞２／３であると、端末がＨＲＰＤに引き続きとどまることを表し、
ｘ≦ｐ＿ｐ、すなわちｘ＜２／３である時、更にＬＴＥ周波数の再選確率に基づいてどのＬＴＥ周波数を再選するかを確定することができ、参照可能なアルゴリズム（このアルゴリズムは１種の例に過ぎず、端末はランダム再選確率に基づいてその他アルゴリズムを設計することができる）は以下のとおりであり、
ｘ≦［ｐ＿ｐ＊ｐ＿ｆ１＝２／３＊０．３＝  ０．２］であると、端末はＬＴＥ周波数１を再選し、
［ｐ＿ｐ＊ｐ＿ｆ１＝２／３＊０．３＝  ０．２］＜ｘ≦［ｐ＿ｐ＊（ｐ＿ｆ１＋ｐ＿ｆ２）＝２／３＊（０．３＋０．５）＝０．５３］であると、端末はＬＴＥ周波数２を再選し、
［ｐ＿ｐ＊（ｐ＿ｆ１＋ｐ＿ｆ２）＝２／３＊（０．３＋０．５）＝０．５３］＜ｘ≦［ｐ＿ｐ＊（ｐ＿ｆ１＋ｐ＿ｆ２＋ｐ＿ｆ３）＝０．６７］であると、端末はＬＴＥ周波数３を再選する。
【０１３３】
ステップ１１０４：端末１は専用優先度をアクティベーションし、端末１の専用優先度は６であり、専用優先度閾値より高く、端末１は更にステップ３のランダム再選アルゴリズムに基づいてランダム数０．１を生じ、ランダム再選確率情報が指示する、ＬＴＥを再選する条件を満たし、再選操作を実行する。ＬＴＥを再選する条件を満たす（ＬＴＥ及び／又は信号が再選の信号品質及び／又は強度条件を満たす等、具体的に規範を参照しながら定義することができる）と、端末１は、ＬＴＥ周波数１を再選する。
【０１３４】
ステップ１１０５：端末２及び３は専用優先度をアクティベーションし、端末２及び３の専用優先度は６であり、専用優先度閾値より高く、端末２及び３は更にステップ３のランダム再選アルゴリズムに基づいてそれぞれランダム数０．４及び０．５を生じ、ランダム再選確率情報が指示する、ＬＴＥを再選する条件を満たし、再選操作を実行する。ＬＴＥを再選する条件を満たす（ＬＴＥ及び／又はＨＲＰＤ信号が再選の信号品質及び／又は強度条件を満たす等、具体的に規範を参照しながら定義することができる）と、端末２及び３は、ＬＴＥ周波数２を再選する。
【０１３５】
ステップ１１０６：端末４は専用優先度をアクティベーションし、端末４の専用優先度は６であり、専用優先度閾値より高く、端末４は更にステップ３のランダム再選アルゴリズムに基づいてランダム数０．６を生じ、ランダム再選確率情報が指示する、ＬＴＥを再選する条件を満たし、再選操作を実行する。ＬＴＥを再選する条件を満たす（ＬＴＥ及び／又はＨＲＰＤ信号が再選の信号品質及び／又は強度条件を満たす等、具体的に規範を参照しながら定義することができる）と、端末１は、ＬＴＥ周波数３を再選する。
【０１３６】
ステップ１１０７：端末５及び６は、専用優先度をアクティベーションし、端末５及び６の専用優先度は６であり、専用優先度閾値より高く、端末５及び６は更にステップ３のランダム再選アルゴリズムに基づいてそれぞれランダム数０．７及び０．８を生じる。ランダム再選確率情報が指示する、ＬＴＥを再選する条件を満たさないと、端末５及び６はＨＲＰＤにとどまる。
【０１３７】
ステップ１１０８、端末７及び８は専用優先度をアクティベーションし、端末７及び８の専用優先度は４であり、専用優先度閾値より低く、端末７及び８はＨＲＰＤにとどまることを表す。
【０１３８】
上記具体的な実施例４、５、６及び７において、端末がＨＲＰＤネットワークから知った異なるシステム間の専用優先度はＬＴＥ以外の他のＨＲＰＤネットワークと異なるネットワーク（又はシステム）専用優先度であってもよい。
【０１３９】
当然、本発明は更に他の複数種の実施例を有してもよく、本発明の趣旨及びその実質を逸脱しない場合に、本分野に詳しい当業者は本発明に基づいて各種の相応する改定又は変形を行うことができ、これらの改定又は変形はいずれも本発明の請求の範囲の保護範囲に含まれる。
【０１４０】
一般の当業者は、上記方法における全部又は一部のステップをプログラムによって関連ハードウェアに命令を出して完成させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明はあらゆる特定形式のハードウェアとソフトウェアの組合せに限らない。
【産業上の利用可能性】
【０１４１】
本解決手段は、マルチモード端末がＨＲＰＤからＬＴＥにアイドル切り替えられた後のＨＲＰＤアクセスネットワークと端末との間の通信支障問題及びネットワーク選択の不均衡の問題を解決することができる。
【図１】
2015515815.tif 000003
【図２】
2015515815.tif 000004
【図３】
2015515815.tif 000005
【図４】
2015515815.tif 000006
【図５】
2015515815.tif 000007
【図６】
2015515815.tif 000008
【図７】
2015515815.tif 000009
【図８】
2015515815.tif 000010
【図９】
2015515815.tif 000011
【図１０】
2015515815.tif 000012
【図１１】
2015515815.tif 000013
【手続補正書】
【提出日】平成26年10月3日(2014.10.3)
【手続補正１】
【補正対象書類名】図面
【補正対象項目名】図５
【補正方法】変更
【補正の内容】
【図５】
2015515815.tif 000014
【手続補正２】
【補正対象書類名】図面
【補正対象項目名】図６
【補正方法】変更
【補正の内容】
【図６】
2015515815.tif 000015
【手続補正３】
【補正対象書類名】図面
【補正対象項目名】図７
【補正方法】変更
【補正の内容】
【図７】
2015515815.tif 000016
【手続補正４】
【補正対象書類名】図面
【補正対象項目名】図１０
【補正方法】変更
【補正の内容】
【図１０】
2015515815.tif 000017
【国際調査報告】
2015515815.tif 000018
2015515815.tif 000019
2015515815.tif 000020
2015515815.tif 000021